(57)【特許請求の範囲】
【請求項１】
巻上機の底面部に着脱自在に設けられて前記巻上機の横置きを可能にする複数個の長尺状脚を有するエレベーターの巻上機用運搬雇において、前記長尺状脚を、前記巻上機の側面部に取り付けることで、前記巻上機の縦置きを可能にし、
前記長尺状脚の断面形状を略コ字状とすると共に、その長尺状脚の頂部に、締結具によって取り付けられたグリップ部材により、前記長尺状脚と前記巻上機の底面部とを固定し、
前記長尺状脚の頂部から延設する側部を前記締結具で前記巻上機の側面部に取り付けることにより、前記長尺状脚と前記巻上機の側面部とを固定し、
前記長尺状脚の頂部から延設する側部を前記締結具で前記巻上機の側面部に取り付けた際に、前記巻上機の側面部に当接する断面形状が略Ｌ字状の支持部材を、前記長尺状脚の頂部に設けたことを特徴とするエレベーターの巻上機用運搬雇。
【発明の詳細な説明】
【技術分野】
【０００１】
本発明は、エレベーターの巻上機の横置き及び縦置きを可能にするエレベーターの巻上機用運搬雇に関するものである。
【背景技術】
【０００２】
従来、エレベーターの巻上機用運搬雇としては、台車上に載置された一対の立て柱を有する枠体と、この枠体を台車に固定する台車固定手段と、台車上に縦置きされた外観が薄型形状の巻上機を前記枠体の一対の立て柱で挟みこんだ状態で固定する巻上機固定手段とから構成するようにしたものが知られていた（例えば、特許文献１参照）。
【特許文献１】特開２００１−３３０１９５号公報（段落番号００１１〜段落番号００２０、図１〜図３）
【発明の開示】
【発明が解決しようとする課題】
【０００３】
しかしながら、上述した特開２００１−３３０１９５号公報などに記載された従来のエレベーターの巻上機用運搬雇では、枠体の一対の立て柱で縦置きの巻上機の両面を挟みこんだ状態で台車上に固定するようにしているために、一対の立て柱、この一対の立て柱を連結する補強アングル、一対の立て柱を台車に固定するブラケットなどの、数多くの部品を必要としている。そのために、上述した従来の巻上機用運搬雇では、その巻上機用運搬雇の製作費が高騰してしまったり、巻上機を運搬するのにその巻上機を台車上に固定するための作業が繁雑化して時間が長くなったりするという問題を有しているとともに、巻上機の製造工場から巻上機を据付ける建物までを、巻上機を台車上に縦置きした状態のままで、その巻上機をトラックによって輸送することが困難であり、巻上機を横置きにするための別の運搬雇を必要とするという問題があった。
【０００４】
本発明は、上述した従来技術における実状からなされたもので、その目的は、巻上機の製造工場から巻上機を据付ける建物までのトラックによる巻上機の輸送作業と、建物の出入口からエレベーター昇降路内への搬入作業とを、円滑に行うことを可能にした構造簡単なエレベーターの巻上機用運搬雇を提供することにある。
【課題を解決するための手段】
【０００５】
上記目的を達成するために、本発明は、巻上機の底面部に着脱自在に設けられて前記巻上機の横置きを可能にする複数個の長尺状脚を有するエレベーターの巻上機用運搬雇において、前記長尺状脚を、前記巻上機の側面部に取り付けることで、前記巻上機の縦置きを可能にし、前記長尺状脚の断面形状を略コ字状とすると共に、その長尺状脚の頂部に、締結具によって取り付けられたグリップ部材により、前記長尺状脚と前記巻上機の底面部とを固定し、前記長尺状脚の頂部から延設する側部を前記締結具で前記巻上機の側面部に取り付けることにより、前記長尺状脚と前記巻上機の側面部とを固定し、前記長尺状脚の頂部から延設する側部を前記締結具で前記巻上機の側面部に取り付けた際に、前記巻上機の側面部に当接する断面形状が略Ｌ字状の支持部材を、前記長尺状脚の頂部に設けたこと特徴としている。
【発明の効果】
【０００９】
本発明によれば、巻上機の底面部に取り付けた長尺状脚を、巻上機の側面部に取り付けることで、巻上機を、簡単に横置き状態から縦置き状態にすることができ、巻上機の製造工場から巻上機を据付ける建物までの巻上機の運搬作業及び巻上機の建物内への搬入作業を円滑に行わせることを可能にするエレベーターの巻上機用運搬雇がえられた。
【発明を実施するための最良の形態】
【００１０】
以下，本発明の一実施形態に係るエレベーターの巻上機用運搬雇を、図１〜図４に基づいて、詳説する。図１は、本発明の一実施形態に係るエレベーターの巻上機用運搬雇を用いてエレベーターの巻上機を横置きにした状態を示す平面図である。図２は、本発明の一実施形態に係るエレベーターの巻上機用運搬雇を用いてエレベーターの巻上機を横置きにした状態を示す側面図である。図３は、本発明の一実施形態に係るエレベーターの巻上機用運搬雇を用いて縦置きにしたエレベーターの巻上機を台車に載置した状態を示す正面図である。図４は、本発明の一実施形態に係るエレベーターの巻上機用運搬雇を用いてエレベーターの巻上機を縦置きにした状態の底面図である。
【００１１】
本発明の一実施形態に係るエレベーターの巻上機１は、外観が薄型形状になっており、トラックなどで運搬する際には、図１及び図２に示すように、横置き状態に設置され、しかも、巻上機１を、搬入通路の狭い建物内に搬入する際には、図３及び図４に示すように縦置きに設置される。
【００１２】
本発明の一実施形態に係るエレベーターの巻上機用運搬雇２は、図１及び図２に示すように、巻上機１の底面部１Ａに着脱自在に設けられて巻上機１の横置きを可能にする断面形状を略コ字状とした２個の長尺状脚３と、これら長尺状脚３の頂部３Ａと巻上機１の底面部１Ａとを挟持する４個のグリップ部材４と、このグリップ部材４を長尺状脚３の頂部３Ａ及び巻上機１の底面部１Ａに固定するための４個の締結具５とを具備している。長尺状脚３、グリップ部材４及び締結具５は、金属製である。
【００１３】
締結具５は、長尺状脚３の頂部３Ａに予め設けた横置き用貫通穴６に挿嵌されるボルト５Ａとこのボルト５Ａに螺着するナット５Ｂとからなり、横置き用貫通穴６に挿嵌されたボルト５Ａにグリップ部材４を嵌合した後、ナット５Ｂをボルト５Ａに螺着させることにより、長尺状脚３の頂部３Ａと巻上機１の底面部１Ａとがグリップ部材４によって挟持固定されるようにしてある。
【００１４】
巻上機１を縦置きする場合には、図３及び図４に示すように、長尺状脚３に巻上機１の側面部１Ｂを固定する。すなわち、長尺状脚３の頂部３Ａから延設する側部３Ｂに、締結具５で巻上機１の側面部１Ｂを固定する。巻上機１の側面部１Ｂには、締結具５のボルト５Ａが挿嵌する縦置き用螺子穴７を複数個予め設けるようにしてある。２個の長尺状脚３は、図４に示すように、巻上機１の側面部１Ｂの長手方向に対して略直角となるようにその側面部１Ｂに固定される。２個の長尺状脚３の長さは、縦置きの巻上機１が倒れるのを阻止する突っ張り棒の機能を生じさせる寸法に設定してある。横置き用貫通穴６と縦置き用螺子穴７の大きさは、締結具５のボルト５Ａが兼用できるように、同じ大きさに設定してある。
【００１５】
長尺状脚３の頂部３Ａには、その頂部３Ａから延設する側部３Ｂを、図３のように、締結具５によって巻上機１の側面部１Ｂに取り付けた際に、巻上機１の側面部１Ｂの平坦面１Ｃに当接する断面形状が略Ｌ字状の支持部材８が設けられている。支持部材８は、鋼材製であって、長尺状脚３の頂部３Ａに溶接若しくはボルト締めによって取り付けられており、巻上機１の縦置き状態を安定に保持させる機能を有している。
【００１６】
巻上機１を縦置きした場合には、図３に示すように、複数個の車輪９Ａを備えた台車９上に載置される。巻上機１を台車９上に載置するには、巻上機１をクレーンで吊り上げた状態とした後、図４に示すように、巻上機１の側面部１Ｂに長尺状脚３を取り付け、その後、巻上機１をクレーンで台車９上に降ろすようにすればよい。
【００１７】
上記構成の巻上機用運搬雇２を用いて、巻上機１の製造工場から巻上機１を据付ける建物まで、巻上機１を運搬するには、巻上機１をクレーンで吊り上げた状態とした後、その巻上機１の底面部１Ａに２個の長尺状脚３を、グリップ部材４及び締結具５を用いて固定する。次いで、その巻上機１を、２個の長尺状脚３を下にした状態で、トラックの荷台の上方に移動させた後、そのトラックの荷台に巻上機１を降ろせば、巻上機１が横置き状態になる。この横置き状態で、巻上機１がトラックにより、巻上機１を据付ける建物まで運搬される。
【００１８】
据付ける建物まで運搬された巻上機１は、クレーンで吊り上げた状態とした後、グリップ部材４及び締結具５を取り除くことにより、巻上機１の底面部１Ａから２個の長尺状脚３を外す。その後、その外した２個の長尺状脚３を、巻上機１の側面部１Ｂに長尺状脚３を取り付け、その後、巻上機１をクレーンで台車９上に降ろすことで、巻上機１が縦置き状態で、巻上機１が台車９上に載置される。この縦置き状態の巻上機１を、台車９を移動させることにより、建物の出入口からエレベーター昇降路に搬入させる。
【００１９】
以上のように、巻上機用運搬雇２によれば、巻上機１の製造工場から巻上機１を据付ける建物までの、巻上機１の運搬作業を、巻上機１を横置き状態で行うことが可能であって、巻上機１の運搬を安定した状態で円滑に行うことができ、かつ、巻上機１の建物内への搬入作業を、縦置き状態の巻上機１を台車９によって移動させることで行うことができる。
【００２０】
さらに、巻上機用運搬雇２によれば、巻上機１の底面部１Ａに取り付けた２個の長尺状脚３を、巻上機１の側面部１Ｂに取り付けることで、巻上機１を、簡単に横置き状態から縦置き状態にすることができ、一連の巻上機１の運搬作業及びエレベーター昇降路への搬入作業を、効率よく行うことができる。
【００２１】
さらに、巻上機用運搬雇２によれば、巻上機１を横置き状態に設置するのに使用する長尺状脚３及び締結具５を用いて、巻上機１を縦置き状態に設置するようにしたので、部品点数の少ない巻上機用運搬雇２とすることができ、その巻上機用運搬雇２の製作費及び取り付け作業費を低く抑えることができる。
【００２２】
さらに、巻上機用運搬雇２によれば、縦置き状態の巻上機１を台車９上に載置したままで、保管することが可能であって、その場合、保管のための床面積が小さくてすむので、保管し易い。
【００２３】
上記実施形態では、長尺状脚３を２個としているが、２個を超える個数であってもよい。また、２個の長尺状脚３を巻上機１の側面部１Ｂの長手方向に対して略直角となるようにその側面部１Ｂに固定しているが、巻上機１の側面部１Ｂの長手方向に対して傾斜させるように２個の長尺状脚３を巻上機１の側面部１Ｂに固定するようにしてもよい。
【図面の簡単な説明】
【００２４】
【図１】本発明の一実施形態に係るエレベーターの巻上機用運搬雇を用いてエレベーターの巻上機を横置きにした状態を示す平面図である。
【図２】本発明の一実施形態に係るエレベーターの巻上機用運搬雇を用いてエレベーターの巻上機を横置きにした状態を示す側面図である。
【図３】本発明の一実施形態に係るエレベーターの巻上機用運搬雇を用いて縦置きにしたエレベーターの巻上機を台車に載置した状態を示す正面図である。
【図４】本発明の一実施形態に係るエレベーターの巻上機用運搬雇を用いてエレベーターの巻上機を縦置きにした状態の底面図である。
【符号の説明】
【００２５】
１    エレベーターの巻上機
１Ａ  底面部
１Ｂ  側面部
１Ｃ  平坦面
２    巻上機用運搬雇
３    長尺状脚
３Ａ  頂部
３Ｂ  側部
４    グリップ部材
５    締結具
５Ａ  ボルト
５Ｂ  ナット
６    横置き用貫通穴
７    縦置き用螺子穴
８    支持部材
９    台車
９Ａ  車輪
【図１】
0004667139.tif 000002
【図２】
0004667139.tif 000003
【図３】
0004667139.tif 000004
【図４】
0004667139.tif 000005